(57)【要約】
【課題】本考案は、画像ディスプレイに施設内におけるディスプレイ設置領域の状況を表示させることが可能となり、施設来場者に自己画像を視認させ、施設内の犯罪行為を抑止するとともに、施設内の外観を損なわず施設来場者に対する圧迫感を減少せしめる監視カメラユニットを提供する。
【解決手段】監視カメラユニットは、画像ディスプレイ２を備え、該筐体１の画像ディスプレイ２の周部下方位置に半透明体４を嵌設してなる窓部３を備える。該窓部３の背部側には画像ディスプレイ２の前面領域に向けて指向し、該領域を撮像可能とする撮像装置５が備えられる。監視カメラユニットの前面領域にいる看者においては、半透明体４の存在により外部から撮像装置５を看取できない態様で看者を撮像可能となり、撮像画像を画像ディスプレイ２上で表示することが可能となる。これにより、監視カメラユニットが設置される領域においての犯罪行為の抑止できる。
【選択図】図２
0003101255.tif 000002
【実用新案登録請求の範囲】
【請求項１】
撮像装置と該撮像装置による撮像画像を表示する画像ディスプレイとを一体に備える監視カメラユニットにおいて、
画像ディスプレイの周部位置に半透明体を嵌設してなる窓部を形成し、該窓部の背部に画像ディスプレイの前面領域に向けて指向し、該領域を撮像可能とする撮像装置を備えることとした監視カメラユニット。
【請求項２】
上記画像ディスプレイには、画像信号の入力線が接続され、該画像線により外部レコーダから送信される画像信号に基づく画像が、上記撮像装置の撮像画像に代って任意に切換表示可能とされる請求項１に記載の監視カメラユニット。
【考案の詳細な説明】
【技術分野】
【０００１】
本考案は、撮像装置と該撮像装置による撮像画像を表示する画像ディスプレイとを一体に備える監視カメラユニットに関する。
【背景技術】
【０００２】
近年の窃盗、盗難事件の急増に伴い、銀行や店舗において犯罪行為の抑止のため、該施設内に撮影中の画像をディスプレイに表示するタイプの監視カメラが利用されてきている。
【０００３】
このような監視カメラによれば、施設来場者に対し自己画像を視認させるとともに、該画像が録画、保存されるので、犯罪に対して極めて強い威嚇効果が発揮されることが知られている。
【０００４】
ところで、該威嚇効果に鑑み、撮像装置と該撮像装置による撮像画面を表示するディスプレイとを一体に備えた監視カメラについては、種々の提案がある。
【特許文献１】特開２００１−８６４８５号公報
【０００５】
しかしながら、この種の監視カメラにおいては、カメラないしカメラのレンズ部がカメラ本体に周囲から看取できる状態で看者に指向されているため、施設来場者に強い圧迫感を与えるという問題がある。すなわち、施設来場者のほとんどは犯罪行為とは無関係なものであるため、これらの者に対してもカメラないしカメラのレンズ部を外部から看取できるような状態で指向させることは、施設来場者に強い圧迫感を与え、施設管理者と施設来場者の信頼関係を著しく阻害し、ひいては施設来場者の減少を招来させる要因ともなる。
【考案の開示】
【考案が解決しようとする課題】
【０００６】
そこで、本考案は、画像ディスプレイに施設内におけるディスプレイ設置領域の状況を表示させることが可能となり、施設来場者に自己画像を視認させ、万引き、盗撮、いたずら（毒物混入等）等の施設内の犯罪行為を抑止することをせしめるとともに、施設内の外観を損なわず施設来場者に対する圧迫感を減少せしめる監視カメラユニットを提供することを目的とする。
【課題を解決するための手段】
【０００７】
本考案の請求項１にかかる監視カメラユニットは、上記目的を達成するため、撮像装置と該撮像装置による撮像画像を表示する画像ディスプレイとを一体に備える監視カメラユニットにおいて、画像ディスプレイの周部位置に半透明体を嵌設してなる窓部を形成し、該窓部の背部に画像ディスプレイの前面領域に向けて指向し、該領域を撮像可能とする撮像装置を備えることを特徴とする。
【０００８】
本考案の請求項２にかかる監視カメラユニットは、上記目的を達成するため、請求項１の監視カメラユニットにおいて、画像ディスプレイには、画像信号の授受を行う信号線が接続され、該信号線により外部レコーダから送信される画像信号に基づく画像が、上記撮像装置の撮像画像に代って任意に切換表示可能とされることを特徴とする。
【考案の効果】
【０００９】
本考案によれば、ディスプレイに施設内におけるディスプレイ設置領域の状況を表示させることが可能となり、施設来場者に自己画像を視認させ、万引き、盗撮、いたずら（毒物混入等）等の施設内の犯罪行為を抑止することをせしめるとともに、施設内の外観を損なわず施設来場者に対する圧迫感を減少せしめることができるという効果がある。
【考案を実施するための最良の形態】
【００１０】
以下、本考案を実施するための最良の形態を図面を参照して説明する。
図１および２は実施の形態に係る監視カメラユニットを示す正面図、図３は同縦断面図である。
【００１１】
実施形態に係る監視カメラユニットは図３に示すように全体薄型で正面長方形状の筐体１を備え、例えば店舗等において壁面や天井に設置して使用される。筐体１は前面側に同じく正面長方形状の画像ディスプレイ２が備えられ、該画像ディスプレイ２は、液晶表示装置、プラズマディスプレイタイプが採用可能とされる。
【００１２】
すなわち、筐体１は画像ディスプレイ２を内部に収納する枠状のものとされ、該ディスプレイ２に係る画面の周部下方の筐体１部分には、横長長方形状からなる窓部３が形成される。この窓部３における正面から観た背面側の筐体１の内部には、ディスプレイ２の前面領域に向けて指向し、該領域を撮像可能とするＣＣＤカメラからなる撮像装置５が備えられる（図２，図３参照）。
【００１３】
撮像装置５の前面側の窓部３には半透明体４が嵌設されてなり、該半透明体４としてはスモークガラス、スモークアクリルパネルなどが採用可能とされ、これにより画像ディスプレイ２の前面領域に位置する看者が、筐体１の内部に位置する撮像装置５が容易に看取されないようにしている。一方、撮像装置５においては、筐体１内から画像ディスプレイ２の前面領域に存する看者を半透明体４を透過する状態で撮像することが可能とされ、この意味で半透明体４は撮像装置５を構成する任意のＣＣＤ撮像子が透過可能な色彩（例えば茶、グリーン等）からなる有色透明体が最適とされる。また、半透明体４は画像ディスプレイ２の前面領域から観て鏡面とされ、撮像装置５側からは透明体として前面領域を撮像可能な半透明体としてのハーフミラー体としてもよい。
【００１４】
このような実施形態からなる監視カメラユニットは、例えば図５及び図６に示すように筐体１の背面側に備えられる取付部７に天井部から垂下されるパイプ状の支持体２０ａに枢着することで、例えば施設内に設置することが可能とされる。
【００１５】
また、天井部に限らず、図７及び図８に示すように室内壁面から延設されるパイプ状の支持体２０ｂに筐体１の背面部に備えられる取付部７を枢着させるようにしてもよい。
【００１６】
これら各支持体２０ａ、２０ｂにおいては天井部あるいは壁面内から配設されるケーブル８が挿通され、該ケーブル８は取付部７から筐体１内の画像ディスプレイ２並びに撮像装置５へと配線される（図５ないし図８参照）。
【００１７】
すなわち、ケーブル８には、外部電源から画像ディスプレイ２並びに撮像装置５に向けて電力供給を行う電力線が備えられる他、画像ディスプレイ２並びに撮像装置５、例えば施設の事務室、警備詰所などに設置されるコントローラ１０との間で画像信号、各種信号の授受を行う信号線１５が備えられる（図４参照）。
【００１８】
監視カメラユニットにおける画像ディスプレイ２の右方部分の筐体１には、不図示のリモコンから送信される操作信号を受信し、画像ディスプレイ２のＯＮ・ＯＦＦや画面調整などの操作を可能とする信号受信部６が備えられる。
【００１９】
このようにして構成される監視カメラユニットは、店舗等において前記のように天井や壁に支持させる状態（図５ないし図８参照）で複数台設置させることが可能となる。これら施設等に設置される複数台の監視カメラユニットの個々においては、窓部３に嵌設される半透明体４の部分を透過して撮像装置５により撮像される画像、すなわち画像ディスプレイ２に映し出させるように表示されるしている。このように画像ディスプレイ２の前面領域の撮像画像を表示させることにより、該前面領域にいる施設等の施設来場者に自己画像を視認させることが可能となる。こうすることにより、万引き、盗撮、いたずら（毒物混入等）等の施設内の犯罪行為を抑止することをせしめるとともに、施設内の外観を損なわず施設来場者に対する圧迫感を減少せしめることができる。しかも施設来場者においては、自分を指向し、撮像している撮像装置５が半透明体４の部分で遮られて見えないために、犯罪行為の抑止力が働くこととなる。
【００２０】
こうして個々の監視カメラユニットの撮像装置５で撮像される撮像信号は、画像信号として信号線１５によりコントローラ１０へと送信され、該コントローラ１０は施設の事務室や警備詰所に設置される画像モニタ１１に撮像画像を表示させるようにしている。画像モニタ１１での画像表示は、複数の監視カメラユニットから送信される撮像画像を分割画面で表示することとしてもよく、また一定期間ごとに各ユニットが撮像した画像を切換えて表示するようにしてもよい。
【００２１】
またコントローラ１０は、各監視カメラユニットから送信される撮像画像に係る画像データをメモリとしての画像記録部１４に順次記録させるようにしている。記録は撮像時間、監視カメラユニットごとにファイル化され、一定量のデータが記録部１４に保存された段階で順次ＣＤ−Ｒ、ＤＶＤなどの外部記録媒体に移して保存させることを可能にしている。
【００２２】
さらにコントローラ１０は、外部レコーダ１３から出力される画像及び音声信号を信号線１５を介して各監視カメラユニットに送信させるようにしている。ここで、レコーダ１３から出力される画像及び音声信号は、例えば監視カメラユニットが設置される施設の宣伝映像、特売商品の映像などで、予めＶＴＲなどで収録された広告に係る内容のものとされる。すなわちコントローラ１０は切換表示手段１２の作動により、こうした内容の画像及び音声信号を各監視カメラユニットにおいては、接続される入力線としての信号線１５を介してコントローラ側から送信される外部レコーダ１３が出力する画像及び音声信号を入力し、画像ディスプレイ２において撮像装置５により撮像される撮像画像に代わって、信号に基づく広告内容に係る映像や音声を出力表示することとなる（図４参照）。画像ディスプレイ２におけるこうした撮像画像の表示と、広告内容の映像にかかる表示の切換えは、コントローラ１０の切換表示手段１２の作動に基づき行われ、切換表示手段１２は予め定められた時間帯において任意に外部レコーダ１３から出力される画像及び音声信号を各監視カメラユニットへ送信して撮像画像に代わって広告内容に係る映像や音声を表示させることが可能となる。また、切換表示手段１２による画像及び音声信号の送信を終了または停止させると、各監視カメラユニットにおいては再び撮像装置５が撮像した画像を表示させるようにしている。
【００２３】
この結果、各監視カメラユニットが設置される施設内において、突然広告内容の画像に代わって画像ディスプレイ２に該画像ディスプレイ２の前面領域に存在する人の画像が映し出されるため（図４参照）、万引き、盗撮、いたずら等の施設内での犯罪行為の抑止力が働くこととなる。
【産業上の利用可能性】
【００２４】
本考案に係る監視カメラユニットは、犯罪行為に対して抑止効果を持ち、かつ、撮像装置が外部から看取されない態様とされるので、銀行、宝石店、博物館の他高級ブティック、量販店等様々な施設において利用することができる。
【図面の簡単な説明】
【００２５】
【図１】本考案に係る監視カメラユニットの実施形態を示す正面図である。
【図２】同上の撮像装置が見える状態の正面図である。
【図３】同上の縦断面図である。
【図４】同上の実施状態に係る監視カメラユニットを施設内に複数設置した状態での構成を示すブロック図である。
【図５】監視カメラユニットの設置態様の一例を示す斜視図である。
【図６】図５と異なる方向から観た場合の同斜視図である。
【図７】監視カメラユニットの設置態様の他の例を示す斜視図である。
【図８】図７を異なる方向から観た場合の同斜視図である。
【符号の説明】
【００２６】
１      筐体
２      画像ディスプレイ
３      窓部
４      半透明体
５      撮影装置
６      信号受信部
７      取付部
８      ケーブル
１０    コントローラ
１１    画像モニタ
１２    切換表示手段
１３    外部レコーダ
１４    画像記録部
１５    信号線
２０ａ，２０ｂ    支持体
【図１】
0003101255.tif 000003
【図２】
0003101255.tif 000004
【図３】
0003101255.tif 000005
【図４】
0003101255.tif 000006
【図５】
0003101255.tif 000007
【図６】
0003101255.tif 000008
【図７】
0003101255.tif 000009
【図８】
0003101255.tif 000010